(57)【要約】【課題】  旅行中に発生した旅行プラン変更事象により旅行プランを調整する旅行プラン調整システム，旅行センタサーバ，旅行プラン調整方法および旅行プラン調整プログラムを提供する。【解決手段】  ユーザ端末１０は旅行プラン作成申込を旅行センタサーバ２０に送信し、旅行センタサーバ２０はユーザ端末１０から受信した旅行プラン作成申込に基づき旅行プランを作成してユーザ端末１０に送信し、ユーザ端末１０は旅行プランを受信する。ユーザ端末１０は旅行中に旅行プラン変更事象が発生したことを検出したときに旅行プラン変更事象発生通知を旅行センタサーバ２０に送信し、旅行センタサーバ２０はユーザ端末１０から旅行プラン変更事象発生通知を受信して旅行プランを調整し、調整した旅行プランをユーザ端末１０に送信する。【選択図】      図１
2005157864.tif 000002
【特許請求の範囲】
【請求項１】
ユーザ端末と旅行センタサーバとがネットワークを介して相互に接続された旅行プラン調整システムであって、
前記ユーザ端末は、
旅行プラン作成申込を前記旅行センタサーバに送信する手段と、
前記旅行センタサーバから旅行プランを受信する手段と、
旅行中に旅行プラン変更事象が発生したときに前記旅行センタサーバに旅行プラン変更事象を通知する手段と、を備え、
前記旅行センタサーバは、
前記ユーザ端末から受信した旅行プラン作成申込に基づき旅行プランを作成して前記ユーザ端末に送信する手段と、
前記ユーザ端末から旅行中の旅行プラン変更事象発生通知を受信し前記旅行プランを調整して前記ユーザ端末に送信する手段と、を備える、
ことを特徴とする旅行プラン調整システム。
【請求項２】
ユーザ端末と旅行センタサーバと宿泊施設サーバとがネットワークを介して相互に接続された旅行プラン調整システムであって、
前記ユーザ端末は、
ユーザの健康状態情報を添付して旅行プラン作成申込を前記旅行センタサーバに送信する手段と、
前記旅行センタサーバから旅行プランを受信する手段と、
旅行中にユーザの健康状態の変化を検出したときに前記旅行センタサーバに健康状態の変化を通知する手段と、を備え、
前記旅行センタサーバは、
前記ユーザ端末から受信した健康状態情報を添付した旅行プラン作成申込に基づき旅行プランを作成して前記ユーザ端末に送信する手段と、
前記ユーザ端末から旅行中のユーザの健康状態の変化検出通知を受信して前記旅行プランを調整する手段と、
調整結果の旅行プランを前記ユーザ端末に送信する手段と、
調整結果の宿泊情報を宿泊施設サーバに送信する手段と、を備え、
前記宿泊施設サーバは、
前記調整結果の宿泊情報を受信する手段を備える、
ことを特徴とする旅行プラン調整システム。
【請求項３】
前記旅行プラン調整システムは前記ユーザの健康状態情報を保有する医療機関サーバを備え、
前記旅行センタサーバは、
前記ユーザ端末から受信した旅行中のユーザの健康状態の変化検出通知を前記医療機関サーバに送信する手段と、
前記医療機関サーバから受信したアドバイス情報を加味して前記旅行プランを調整する手段と、を有し、
前記医療機関サーバは、
前記旅行センタサーバから受信した旅行中のユーザの健康状態の変化検出通知に対するアドバイス情報を作成する手段と、
前記作成したアドバイス情報を前記旅行センタサーバに送信する手段と、を有する、
ことを特徴とする請求項２記載の旅行プラン調整システム。
【請求項４】
前記ユーザ端末は、
旅行中の交通状態の変化を入力して前記旅行センタサーバに通知する手段を有し、
前記旅行センタサーバは、
前記ユーザ端末から旅行中の交通状況の変化通知を受信して前記旅行プランを調整する手段を有する、
ことを特徴とする請求項２記載の旅行プラン調整システム。
【請求項５】
前記旅行プラン調整システムは交通機関情報を公開する交通機関サーバを備え、
前記旅行センタサーバは、
前記交通機関サーバが公開する交通機関情報を取得する手段と、
前記取得した交通機関情報を加味して前記旅行プランを調整する手段と、を有する、
ことを特徴とする請求項４記載の旅行プラン調整システム。
【請求項６】
ユーザ端末と旅行センタサーバとがネットワークを介して相互に接続された旅行プラン調整システムの旅行プラン調整方法であって、
前記ユーザ端末は、
旅行プラン作成申込を前記旅行センタサーバに送信し、
前記旅行センタサーバは、
前記ユーザ端末から受信した旅行プラン作成申込に基づき旅行プランを作成し、
前記作成した旅行プランを前記ユーザ端末に送信し、
前記ユーザ端末は、
前記旅行センタサーバから旅行プランを受信し、
旅行中に旅行プラン変更事象が発生したことを検出したときに旅行プラン変更事象発生通知を前記旅行センタサーバに送信し、
前記旅行センタサーバは、
前記ユーザ端末から前記旅行プラン変更事象発生通知を受信して前記旅行プランを調整し、
前記調整した旅行プランを前記ユーザ端末に送信する、
ことを特徴とする旅行プラン調整方法。
【請求項７】
ユーザ端末と旅行センタサーバと宿泊施設サーバとがネットワークを介して相互に接続された旅行プラン調整システムの旅行プラン調整方法であって、
前記ユーザ端末は、
ユーザの健康状態情報を添付して旅行プラン作成申込を前記旅行センタサーバに送信し、
前記旅行センタサーバは、
前記ユーザ端末から受信した健康状態情報を添付した旅行プラン作成申込に基づき旅行プランを作成し、
前記作成した旅行プランを前記ユーザ端末に送信し、
前記ユーザ端末は、
前記旅行センタサーバから旅行プランを受信し、
旅行中にユーザの健康状態の変化を検出したときに健康状態変化通知を前記旅行センタサーバに送信し、
前記旅行センタサーバは、
前記ユーザ端末から前記健康状態変化通知を受信して前記旅行プランを調整し、
前記調整した旅行プランを前記ユーザ端末に送信し、
宿泊情報を宿泊施設サーバに送信する、
ことを特徴とする旅行プラン調整方法。
【請求項８】
前記旅行センタサーバは、
前記ユーザ端末から受信した前記健康状態変化通知を前記ユーザの健康状態情報を保有する医療機関サーバに送信し、
前記医療機関サーバは、
前記旅行センタサーバから受信した前記健康状態変化通知に対するアドバイス情報を作成し、
前記作成したアドバイス情報を前記旅行センタサーバに送信し、
前記旅行センタサーバは、
前記医療機関サーバから受信したアドバイス情報を加味して前記旅行プランを調整する、
ことを特徴とする請求項７記載の旅行プラン調整方法。
【請求項９】
前記ユーザ端末は、
旅行中の交通機関の交通状況変化通知を入力して前記旅行センタサーバに送信し、
前記旅行センタサーバは、
前記ユーザ端末から前記交通状況変化通知を受信して前記旅行プランを調整する、
ことを特徴とする請求項７記載の旅行プラン調整方法。
【請求項１０】
前記旅行センタサーバは、
交通機関情報を公開する交通機関サーバから交通機関情報を取得し、
前記取得した交通機関情報を加味して前記旅行プランを調整する、
ことを特徴とする請求項９記載の旅行プラン調整方法。
【請求項１１】
ユーザ端末と旅行センタサーバとがネットワークを介して相互に接続された旅行プラン調整システムの旅行プラン調整プログラムであって、
コンピュータに、
前記ユーザ端末が、
旅行プラン作成申込をぜんき旅行センタサーバに送信する機能、
前記旅行センタサーバが、
前記ユーザ端末から受信した旅行プラン作成申込に基づき旅行プランを作成する機能、
前記作成した旅行プランを前記ユーザ端末に送信する機能、
前記ユーザ端末が、
前記旅行センタサーバから旅行プランを受信する機能、
旅行中に旅行プラン変更事象が発生したことを検出したときに旅行プラン変更事象発生通知を前記旅行センタサーバに送信する機能、
前記旅行センタサーバが、
前記ユーザ端末から前記旅行プラン変更事象発生通知を受信して前記旅行プランを調整する機能、
前記調整した旅行プランを前記ユーザ端末に送信する機能、
を実現させるための旅行プラン調整プログラム。
【請求項１２】
ユーザ端末と旅行センタサーバと宿泊施設サーバとがネットワークを介して相互に接続された旅行プラン調整システムの旅行プラン調整プログラムであって、
コンピュータに、
前記ユーザ端末が、
ユーザの健康状態情報を添付して旅行プラン作成申込を前記旅行センタサーバに送信する機能、
前記旅行センタサーバが、
前記ユーザ端末から受信した健康状態情報を添付した旅行プラン作成申込に基づき旅行プランを作成する機能、
前記作成した旅行プランを前記ユーザ端末に送信する機能、
前記ユーザ端末が、
前記旅行センタサーバから旅行プランを受信する機能、
旅行中にユーザの健康状態の変化を検出したときに健康状態変化通知を前記旅行センタサーバに送信する機能、
前記旅行センタサーバが、
前記ユーザ端末から前記健康状態変化通知を受信して前記旅行プランを調整する機能、
前記調整した旅行プランを前記ユーザ端末に送信する機能、
宿泊情報を宿泊施設サーバに送信する機能、
を実現させるための旅行プラン調整プログラム。
【請求項１３】
前記旅行センタサーバが、
前記ユーザ端末から受信した前記健康状態変化通知を前記ユーザの健康状態情報を保有する医療機関サーバに送信する機能、
前記医療機関サーバが、
前記旅行センタサーバから受信した前記健康状態変化通知に対するアドバイス情報を作成する機能、
前記作成したアドバイス情報を前記旅行センタサーバに送信する機能、
前記旅行センタサーバが、
前記医療機関サーバから受信したアドバイス情報を加味して前記旅行プランを調整する機能、
を実現させるための請求項１２記載の旅行プラン調整プログラム。
【請求項１４】
前記ユーザ端末が、
旅行中の交通機関の交通状況変化通知を入力して前記旅行センタサーバに送信する機能、
前記旅行センタサーバが、
前記ユーザ端末から前記交通状況変化通知を受信して前記旅行プランを調整する機能、
を実現させるための請求項１２記載の旅行プラン調整プログラム。
【請求項１５】
前記旅行センタサーバが、
交通機関情報を公開する交通機関サーバから交通機関情報を取得する機能、
前記取得した交通機関情報を加味して前記旅行プランを調整する機能、
を実現させるための請求項１４記載の旅行プラン調整プログラム。
【請求項１６】
ユーザ端末からの申込に基づき旅行プランの作成ならびに調整変更を行う旅行センタサーバであって、
前記ユーザ端末から受信した旅行プラン作成申込に基づき旅行プランを作成して前記ユーザ端末に送信する手段と、
前記ユーザ端末から旅行中の旅行プラン変更事象発生通知を受信し前記旅行プランを調整して前記ユーザ端末に送信する手段と、を備える、
ことを特徴とする旅行センタサーバ。
【請求項１７】
ユーザ端末からの申込に基づき旅行プランの作成ならびに調整変更を行う旅行センタサーバであって、
前記ユーザ端末から受信した健康状態情報を添付した旅行プラン作成申込に基づき旅行プランを作成して前記ユーザ端末に送信する手段と、
前記ユーザ端末から旅行中のユーザの健康状態の変化検出通知を受信して前記旅行プランを調整する手段と、
調整結果の旅行プランを前記ユーザ端末に送信する手段と、を備える、
ことを特徴とする旅行センタサーバ。
【請求項１８】
前記ユーザ端末から旅行中の交通状況の変化通知を受信して前記旅行プランを調整する手段を有する、
ことを特徴とする請求項１７記載の旅行センタサーバ。
【請求項１９】
ユーザ端末からの申込に基づき旅行プランの作成ならびに調整変更を行う旅行センタサーバの旅行プラン調整方法であって、
前記ユーザ端末から受信した旅行プラン作成申込に基づき旅行プランを作成して前記ユーザ端末に送信し、
前記ユーザ端末から旅行中の旅行プラン変更事象発生通知を受信して前記旅行プランを調整し、
調整した旅行プランを前記ユーザ端末に送信する、
ことを特徴とする旅行プラン調整方法。
【請求項２０】
ユーザ端末からの申込に基づき旅行プランの作成ならびに調整変更を行う旅行センタサーバの旅行プラン調整方法であって、
前記ユーザ端末から受信した健康状態情報を添付した旅行プラン作成申込に基づき旅行プランを作成して前記ユーザ端末に送信し、
前記ユーザ端末から旅行中のユーザの健康状態の変化検出通知を受信して前記旅行プランを調整し、
調整した旅行プランを前記ユーザ端末に送信する、
ことを特徴とする旅行プラン調整方法。
【請求項２１】
前記ユーザ端末から旅行中の交通状況の変化通知を受信して前記旅行プランを調整する、
ことを特徴とする請求項２０記載の旅行プラン調整方法。
【請求項２２】
ユーザ端末からの申込に基づき旅行プランの作成ならびに調整変更を行う旅行センタサーバの旅行プラン調整プログラムであって、
コンピュータに、
前記ユーザ端末から受信した旅行プラン作成申込に基づき旅行プランを作成して前記ユーザ端末に送信する機能、
前記ユーザ端末から旅行中の旅行プラン変更事象発生通知を受信して前記旅行プランを調整する機能、
調整した旅行プランを前記ユーザ端末に送信する機能、
を実現させるための旅行プラン調整プログラム。
【請求項２３】
ユーザ端末からの申込に基づき旅行プランの作成ならびに調整変更を行う旅行センタサーバの旅行プラン調整プログラムであって、
前記ユーザ端末から受信した健康状態情報を添付した旅行プラン作成申込に基づき旅行プランを作成して前記ユーザ端末に送信する機能、
前記ユーザ端末から旅行中のユーザの健康状態の変化検出通知を受信して前記旅行プランを調整する機能、
調整した旅行プランを前記ユーザ端末に送信する機能、
を実現させるための旅行プラン調整プログラム。
【請求項２４】
前記ユーザ端末から旅行中の交通状況の変化通知を受信して前記旅行プランを調整する機能、
を実現させるための請求項２３記載の旅行プラン調整プログラム。
【発明の詳細な説明】
【技術分野】
【０００１】
本発明は、旅行プラン調整システム，旅行センタサーバ，旅行プラン調整方法および旅行プラン調整プログラムに関し、特に、旅行中に発生した旅行プラン変更事象により旅行プランを調整する旅行プラン調整システム，旅行センタサーバ，旅行プラン調整方法および旅行プラン調整プログラムに関する。
【背景技術】
【０００２】
従来の旅行案内システムの一例として、特許文献１には、ユーザＰＣから病気または障害を持つ人が旅行するために必要となる各種の旅行条件をインターネットを介して旅行代理店サーバに入力し、旅行代理店サーバは予め登録された情報に基づいて旅行条件に沿った複数の旅行計画を作成し、インターネットを介してユーザＰＣに送信し、ユーザＰＣに表示された複数の旅行計画の中から所望の旅行計画が選択される、病気または障害を持つ人を対象とした旅行案内方法が開示されている。
【０００３】
また、特許文献２には、旅行管理サーバが利用者端末から旅行プランの作成要求を受けた際に、旅行希望条件を問い合わせる旅行希望条件設定画面を当該端末へ送信し、旅行管理サーバは利用者端末から送信されて来た旅行希望条件を受信すると、この旅行希望条件に基づいて施設／名所／イベント情報データベース、交通機関情報データベースを検索し、当該指定条件に合った旅行先情報および交通情報を取得すると共に、取得した旅行先情報および交通情報に基づいて当該利用者固有の旅行プランを作成して当該利用者端末へ送信する、旅行案内提供システムが開示されている。また、特許文献２では、旅行出発時に、旅行スケジュール、広告情報、案内情報、地図情報を旅行者の携帯情報端末へダウンロードし、旅行している最中において、携帯情報端末は衛星移動体通信システムから現在位置を取得すると共に時計部から現在日時を取得し、取得した現在位置および現在日時と旅行スケジュール内に含まれている各場所の位置情報および到着／出発日時の情報とを比較しスケジュールの遅れ／進みがあるかを判別し、スケジュールの遅れ／進みがあることが判別された場合には、その旨をガイダンス表示やアラーム音等で報知し、旅行者から変更指示があればスケジュールの変更入力を受付けると共に、変更されたスケジュールデータを旅行管理サーバへ送信し、旅行管理サーバは受信した変更データに基づいて当該旅行スケジュールの内容を再調整し、変更後の旅行スケジュール、広告情報、案内情報を携帯情報端末へ送信することが開示されている。
【０００４】
【特許文献１】特開２００２−２０７７９４号公報
【特許文献２】特開２００２−７３７５６号公報
【発明の開示】
【発明が解決しようとする課題】
【０００５】
しかしながら、上述した背景技術には、旅行中に体調の変化があった場合に、体調に応じた旅行プランの調整に対応できないという問題点がある。
【０００６】
また、旅行中に交通状況の変化があった場合に、交通状況に応じた旅行プランの調整に対応できないという問題点もある。
【０００７】
本発明の目的は、上記の問題点を解決し、旅行中に体調の変化があった場合に体調に応じた旅行プランの調整を行う旅行プラン調整システム，旅行センタサーバ，旅行プラン調整方法および旅行プラン調整プログラムを提供することにある。
【０００８】
本発明の他の目的は、上記の問題点を解決し、旅行中に交通状況の変化があった場合に交通状況に応じた旅行プランの調整を行う旅行プラン調整システム，旅行センタサーバ，旅行プラン調整方法および旅行プラン調整プログラムを提供することにある。
【課題を解決するための手段】
【０００９】
本願第１の発明の旅行プラン調整システムは、ユーザ端末と旅行センタサーバとがネットワークを介して相互に接続された旅行プラン調整システムであって、前記ユーザ端末は、旅行プラン作成申込を前記旅行センタサーバに送信する手段と、前記旅行センタサーバから旅行プランを受信する手段と、旅行中に旅行プラン変更事象が発生したときに前記旅行センタサーバに旅行プラン変更事象を通知する手段と、を備え、前記旅行センタサーバは、前記ユーザ端末から受信した旅行プラン作成申込に基づき旅行プランを作成して前記ユーザ端末に送信する手段と、前記ユーザ端末から旅行中の旅行プラン変更事象発生通知を受信し前記旅行プランを調整して前記ユーザ端末に送信する手段と、を備える。
【００１０】
本願第２の発明の旅行プラン調整システムは、ユーザ端末と旅行センタサーバと宿泊施設サーバとがネットワークを介して相互に接続された旅行プラン調整システムであって、前記ユーザ端末は、ユーザの健康状態情報を添付して旅行プラン作成申込を前記旅行センタサーバに送信する手段と、前記旅行センタサーバから旅行プランを受信する手段と、旅行中にユーザの健康状態の変化を検出したときに前記旅行センタサーバに健康状態の変化を通知する手段と、を備え、前記旅行センタサーバは、前記ユーザ端末から受信した健康状態情報を添付した旅行プラン作成申込に基づき旅行プランを作成して前記ユーザ端末に送信する手段と、前記ユーザ端末から旅行中のユーザの健康状態の変化検出通知を受信して前記旅行プランを調整する手段と、調整結果の旅行プランを前記ユーザ端末に送信する手段と、調整結果の宿泊情報を宿泊施設サーバに送信する手段と、を備え、前記宿泊施設サーバは、前記調整結果の宿泊情報を受信する手段を備える。
【００１１】
本願第３の発明の旅行プラン調整システムは、第２の発明において前記旅行プラン調整システムは前記ユーザの健康状態情報を保有する医療機関サーバを備え、前記旅行センタサーバは、前記ユーザ端末から受信した旅行中のユーザの健康状態の変化検出通知を前記医療機関サーバに送信する手段と、前記医療機関サーバから受信したアドバイス情報を加味して前記旅行プランを調整する手段と、を有し、前記医療機関サーバは、前記旅行センタサーバから受信した旅行中のユーザの健康状態の変化検出通知に対するアドバイス情報を作成する手段と、前記作成したアドバイス情報を前記旅行センタサーバに送信する手段と、を有する。
【００１２】
本願第４の発明の旅行プラン調整システムは、第２の発明において前記ユーザ端末は、旅行中の交通状態の変化を入力して前記旅行センタサーバに通知する手段を有し、前記旅行センタサーバは、前記ユーザ端末から旅行中の交通状況の変化通知を受信して前記旅行プランを調整する手段を有する。
【００１３】
本願第５の発明の旅行プラン調整システムは、第４の発明において前記旅行プラン調整システムは交通機関情報を公開する交通機関サーバを備え、前記旅行センタサーバは、前記交通機関サーバが公開する交通機関情報を取得する手段と、前記取得した交通機関情報を加味して前記旅行プランを調整する手段と、を有する。
【００１４】
本願第６の発明の旅行プラン調整方法は、ユーザ端末と旅行センタサーバとがネットワークを介して相互に接続された旅行プラン調整システムの旅行プラン調整方法であって、前記ユーザ端末は、旅行プラン作成申込を前記旅行センタサーバに送信し、前記旅行センタサーバは、前記ユーザ端末から受信した旅行プラン作成申込に基づき旅行プランを作成し、前記作成した旅行プランを前記ユーザ端末に送信し、前記ユーザ端末は、前記旅行センタサーバから旅行プランを受信し、旅行中に旅行プラン変更事象が発生したことを検出したときに旅行プラン変更事象発生通知を前記旅行センタサーバに送信し、前記旅行センタサーバは、前記ユーザ端末から前記旅行プラン変更事象発生通知を受信して前記旅行プランを調整し、前記調整した旅行プランを前記ユーザ端末に送信する、ことを特徴とする。
【００１５】
本願第７の発明の旅行プラン調整方法は、ユーザ端末と旅行センタサーバと宿泊施設サーバとがネットワークを介して相互に接続された旅行プラン調整システムの旅行プラン調整方法であって、前記ユーザ端末は、ユーザの健康状態情報を添付して旅行プラン作成申込を前記旅行センタサーバに送信し、前記旅行センタサーバは、前記ユーザ端末から受信した健康状態情報を添付した旅行プラン作成申込に基づき旅行プランを作成し、前記作成した旅行プランを前記ユーザ端末に送信し、前記ユーザ端末は、前記旅行センタサーバから旅行プランを受信し、旅行中にユーザの健康状態の変化を検出したときに健康状態変化通知を前記旅行センタサーバに送信し、前記旅行センタサーバは、前記ユーザ端末から前記健康状態変化通知を受信して前記旅行プランを調整し、前記調整した旅行プランを前記ユーザ端末に送信し、宿泊情報を宿泊施設サーバに送信する、ことを特徴とする。
【００１６】
本願第８の発明の旅行プラン調整方法は、第７の発明において前記旅行センタサーバは、前記ユーザ端末から受信した前記健康状態変化通知を前記ユーザの健康状態情報を保有する医療機関サーバに送信し、前記医療機関サーバは、前記旅行センタサーバから受信した前記健康状態変化通知に対するアドバイス情報を作成し、前記作成したアドバイス情報を前記旅行センタサーバに送信し、前記旅行センタサーバは、前記医療機関サーバから受信したアドバイス情報を加味して前記旅行プランを調整する、ことを特徴とする。
【００１７】
本願第９の発明の旅行プラン調整方法は、第７の発明において前記ユーザ端末は、旅行中の交通機関の交通状況変化通知を入力して前記旅行センタサーバに送信し、前記旅行センタサーバは、前記ユーザ端末から前記交通状況変化通知を受信して前記旅行プランを調整する、ことを特徴とする。
【００１８】
本願第１０の発明の旅行プラン調整方法は、第９の発明において前記旅行センタサーバは、交通機関情報を公開する交通機関サーバから交通機関情報を取得し、前記取得した交通機関情報を加味して前記旅行プランを調整する、ことを特徴とする。
【００１９】
本願第１１の発明の旅行プラン調整プログラムは、ユーザ端末と旅行センタサーバとがネットワークを介して相互に接続された旅行プラン調整システムの旅行プラン調整プログラムであって、コンピュータに、前記ユーザ端末が、旅行プラン作成申込を前記旅行センタサーバに送信する機能、前記旅行センタサーバが、前記ユーザ端末から受信した旅行プラン作成申込に基づき旅行プランを作成する機能、前記作成した旅行プランを前記ユーザ端末に送信する機能、前記ユーザ端末が、前記旅行センタサーバから旅行プランを受信する機能、旅行中に旅行プラン変更事象が発生したことを検出したときに旅行プラン変更事象発生通知を前記旅行センタサーバに送信する機能、前記旅行センタサーバが、前記ユーザ端末から前記旅行プラン変更事象発生通知を受信して前記旅行プランを調整する機能、前記調整した旅行プランを前記ユーザ端末に送信する機能、を実現させる。
【００２０】
本願第１２の発明の旅行プラン調整プログラムは、ユーザ端末と旅行センタサーバと宿泊施設サーバとがネットワークを介して相互に接続された旅行プラン調整システムの旅行プラン調整プログラムであって、コンピュータに、前記ユーザ端末が、ユーザの健康状態情報を添付して旅行プラン作成申込を前記旅行センタサーバに送信する機能、前記旅行センタサーバが、前記ユーザ端末から受信した健康状態情報を添付した旅行プラン作成申込に基づき旅行プランを作成する機能、前記作成した旅行プランを前記ユーザ端末に送信する機能、前記ユーザ端末が、前記旅行センタサーバから旅行プランを受信する機能、旅行中にユーザの健康状態の変化を検出したときに健康状態変化通知を前記旅行センタサーバに送信する機能、前記旅行センタサーバが、前記ユーザ端末から前記健康状態変化通知を受信して前記旅行プランを調整する機能、前記調整した旅行プランを前記ユーザ端末に送信する機能、宿泊情報を宿泊施設サーバに送信する機能、を実現させる。
【００２１】
本願第１３の発明の旅行プラン調整プログラムは、第１２の発明において前記旅行センタサーバが、前記ユーザ端末から受信した前記健康状態変化通知を前記ユーザの健康状態情報を保有する医療機関サーバに送信する機能、前記医療機関サーバが、前記旅行センタサーバから受信した前記健康状態変化通知に対するアドバイス情報を作成する機能、前記作成したアドバイス情報を前記旅行センタサーバに送信する機能、前記旅行センタサーバが、前記医療機関サーバから受信したアドバイス情報を加味して前記旅行プランを調整する機能、を実現させる。
【００２２】
本願第１４の発明の旅行プラン調整プログラムは、第１２の発明において前記ユーザ端末が、旅行中の交通機関の交通状況変化通知を入力して前記旅行センタサーバに送信する機能、前記旅行センタサーバが、前記ユーザ端末から前記交通状況変化通知を受信して前記旅行プランを調整する機能、を実現させる。
【００２３】
本願第１５の発明の旅行プラン調整プログラムは、第１４の発明において前記旅行センタサーバが、交通機関情報を公開する交通機関サーバから交通機関情報を取得する機能、前記取得した交通機関情報を加味して前記旅行プランを調整する機能、を実現させる。
【００２４】
本願第１６の発明の旅行センタサーバは、ユーザ端末からの申込に基づき旅行プランの作成ならびに調整変更を行う旅行センタサーバであって、前記ユーザ端末から受信した旅行プラン作成申込に基づき旅行プランを作成して前記ユーザ端末に送信する手段と、前記ユーザ端末から旅行中の旅行プラン変更事象発生通知を受信し前記旅行プランを調整して前記ユーザ端末に送信する手段と、を備える。
【００２５】
本願第１７の発明の旅行センタサーバは、ユーザ端末からの申込に基づき旅行プランの作成ならびに調整変更を行う旅行センタサーバであって、前記ユーザ端末から受信した健康状態情報を添付した旅行プラン作成申込に基づき旅行プランを作成して前記ユーザ端末に送信する手段と、前記ユーザ端末から旅行中のユーザの健康状態の変化検出通知を受信して前記旅行プランを調整する手段と、調整結果の旅行プランを前記ユーザ端末に送信する手段と、を備える。
【００２６】
本願第１８の発明の旅行センタサーバは、第１７の発明において前記ユーザ端末から旅行中の交通状況の変化通知を受信して前記旅行プランを調整する手段を有する。
【００２７】
本願第１９の発明の旅行プラン調整方法は、ユーザ端末からの申込に基づき旅行プランの作成ならびに調整変更を行う旅行センタサーバの旅行プラン調整方法であって、前記ユーザ端末から受信した旅行プラン作成申込に基づき旅行プランを作成して前記ユーザ端末に送信し、前記ユーザ端末から旅行中の旅行プラン変更事象発生通知を受信して前記旅行プランを調整し、調整した旅行プランを前記ユーザ端末に送信する、ことを特徴とする。
【００２８】
本願第２０の発明の旅行プラン調整方法は、ユーザ端末からの申込に基づき旅行プランの作成ならびに調整変更を行う旅行センタサーバの旅行プラン調整方法であって、前記ユーザ端末から受信した健康状態情報を添付した旅行プラン作成申込に基づき旅行プランを作成して前記ユーザ端末に送信し、前記ユーザ端末から旅行中のユーザの健康状態の変化検出通知を受信して前記旅行プランを調整し、調整した旅行プランを前記ユーザ端末に送信する、ことを特徴とする。
【００２９】
本願第２１の発明の旅行プラン調整方法は、第２０の発明において前記ユーザ端末から旅行中の交通状況の変化通知を受信して前記旅行プランを調整する、ことを特徴とする。
【００３０】
本願第２２の発明の旅行プラン調整プログラムは、ユーザ端末からの申込に基づき旅行プランの作成ならびに調整変更を行う旅行センタサーバの旅行プラン調整プログラムであって、コンピュータに、前記ユーザ端末から受信した旅行プラン作成申込に基づき旅行プランを作成して前記ユーザ端末に送信する機能、前記ユーザ端末から旅行中の旅行プラン変更事象発生通知を受信して前記旅行プランを調整する機能、調整した旅行プランを前記ユーザ端末に送信する機能、を実現させる。
【００３１】
本願第２３の発明の旅行プラン調整プログラムは、ユーザ端末からの申込に基づき旅行プランの作成ならびに調整変更を行う旅行センタサーバの旅行プラン調整プログラムであって、前記ユーザ端末から受信した健康状態情報を添付した旅行プラン作成申込に基づき旅行プランを作成して前記ユーザ端末に送信する機能、前記ユーザ端末から旅行中のユーザの健康状態の変化検出通知を受信して前記旅行プランを調整する機能、調整した旅行プランを前記ユーザ端末に送信する機能、を実現させる。
【００３２】
本願第２４の発明の旅行プラン調整プログラムは、第２３の発明において前記ユーザ端末から旅行中の交通状況の変化通知を受信して前記旅行プランを調整する機能、を実現させる。
【発明の効果】
【００３３】
本発明の第１の効果は、旅行中に体調の変化があった場合に、体調に応じた旅行プランに調整できることである。
【００３４】
その理由は、旅行中の体調に応じて旅行プランの調整を行う手段を設けたからである。
【００３５】
本発明の第２の効果は、旅行中に交通状況の変化があった場合に、交通状況に応じた旅行プランに調整できることである。
【００３６】
その理由は、旅行中の交通状況に応じて旅行プランの調整を行う手段を設けたからである。
【発明を実施するための最良の形態】
【００３７】
本発明は、インターネット等のネットワークを利用して旅行センタと医療機関および交通機関を接続し、ユーザは旅行センタに予め自分の体調および趣味・嗜好を登録し、計画した旅行を行い、旅行の最中に日々変わる体調および交通状況の変化に対応させ、総合的に最も最適な旅行を実現させることを特徴としている。
【００３８】
ユーザは旅行の予定を立てたいと考えた時、ユーザ端末より健康状態，趣味・嗜好および予算等をネットワークを介して旅行センタに送信する。旅行センタは旅館・ホテル等の宿泊施設および医療機関からの情報により最適な旅行の計画を行い、ユーザ端末へ送信する。そして、その旅行の最中にユーザの体調に変化があれば、ユーザ端末よりネットワークを介して、医療機関へ情報を送り、その情報を旅行センタへ送信し、旅行センタはその情報と交通機関の情報より最適な旅行工程への変更を行い、ユーザ端末および宿泊施設へ送信する。
【００３９】
次に、本発明を実施するための最良の形態の構成について、図面を参照して詳細に説明する。
図１は本発明の全体の構成図である。
図２は旅行プラン申込情報の登録例を示す図である。
【００４０】
図１に示す通り、本発明の一実施例は、ユーザ端末１０と、旅行センタサーバ２０と、交通機関サーバ３０と、医療機関サーバ４０と、宿泊施設サーバ５０と、を備え、各々はインターネット等のネットワーク１００により接続されている。
【００４１】
ユーザ端末１０は、プログラム制御で動作するパーソナルコンピュータ，携帯電話または携帯情報端末等の携帯型の情報処理装置であり、以下の機能を有する。
（１）旅行センタサーバ２０にアクセスし、旅行センタサーバ２０から送信される旅行プラン申込情報の入力画面を表示し、入力画面に旅行プラン申込情報を入力して旅行センタサーバ２０に送信する機能。旅行プラン申込情報は、図２に示すように、旅行者の健康状態，趣味・嗜好および旅行の予算などである。旅行者の健康状態には、健康診断の結果内容，持病に関する内容およびその他の自己申告内容などを含んでいる。また、図２に示す内容の他に、旅行地，日程，観光地（観光スポット）および宿泊地等の情報も入力して旅行センタサーバ２０に送信する。あるいは、旅行地，日程，観光地（観光スポット）および宿泊地等の情報は入力せずに、図２に示す情報で旅行センタサーバ２０が旅行プランを作成するようにしてもよい。
（２）旅行センタサーバ２０から複数の旅行プラン案を受信し、希望の旅行プラン案を選択して旅行センタサーバ２０に送信し、旅行センタサーバ２０から最適な旅行プランを受信する機能。
（３）旅行中の体調の変化情報を旅行センタサーバ２０に送信し、医療機関サーバ４０からのアドバイス情報を旅行センタサーバ２０から受信する機能。体調情報には血圧，脈拍，体温などが含まれる。ユーザ端末１０はユーザ端末１０に付随するデータ測定手段（図示せず）でこれらのデータを測定し、測定値が予め定めた閾値を越えていることを検出した場合に旅行センタサーバ２０に送信する。あるいは、ユーザがユーザ端末１０に付随しないデータ測定手段（図示せず）でデータを測定してユーザ端末１０に入力し、ユーザ端末１０は測定値が予め定めた閾値を越えていることを検出した場合に旅行センタサーバ２０に送信するようにしてもよい。更に、ユーザがデータ測定手段（図示せず）で測定できない持病の症状等をユーザ端末１０に入力し、ユーザ端末１０は入力された持病の症状等を旅行センタサーバ２０に送信するようにしてもよい。
（４）旅行中の交通状況の変化情報を入力して旅行センタサーバ２０に送信する機能。
（５）旅行中の体調の変化情報あるいは旅行中の交通状況の変化情報による旅行プランの調整変更結果を旅行センタサーバ２０から受信する機能、など。
【００４２】
旅行センタサーバ２０は、旅行センタが保有するプログラム制御で動作するサーバ等の情報処理装置であり、観光地の情報を格納する観光地ＤＢ（データベース），旅館やホテル等の情報を格納する宿泊地ＤＢおよび列車やバス等の情報を格納する交通ＤＢを備え、以下の機能を有する。
（１）ユーザ端末１０に旅行プラン申込情報を入力させるための入力画面を送信し、ユーザ端末１０から受信した旅行プラン申込情報を登録する機能。
（２）登録された旅行プラン申込情報を基に、保有する各種ＤＢの情報ならびに宿泊施設サーバ５０および交通機関サーバ３０にアクセスして取得した情報を参照して旅行プランを作成する機能。
（３）宿泊施設サーバ５０の宿泊施設情報を参照して宿泊情報を作成し、作成した宿泊情報を宿泊施設サーバ５０に送信して予約，予約の変更，予約の取消等を行う機能。
（４）全国の地図情報を公開されているＷｅｂサイトから取得する機能。
（５）交通機関サーバ３０の交通機関情報を参照して交通情報を作成し、作成した交通情報を交通機関サーバ３０に送信して予約，予約の変更，予約の取消等を行う機能。
（６）ユーザ端末１０から受信した旅行中のユーザの体調情報を医療機関サーバ４０に送信し、医療機関サーバ４０から受信したアドバイス情報をユーザ端末１０に送信する機能。
（７）医療機関サーバ４０からのアドバイス情報を基に、保有する各種ＤＢの情報ならびに交通機関サーバ３０の交通機関情報および宿泊施設サーバ５０の宿泊施設情報を参照して旅行日程（旅行プラン）を調整変更する機能。
（８）ユーザ端末１０から受信した交通状況の変化情報を基に、保有する各種ＤＢの情報ならびに交通機関サーバ３０の交通機関情報および宿泊施設サーバ５０の宿泊施設情報を参照して旅行日程（旅行プラン）を調整変更する機能。
（９）旅行日程（旅行プラン）の調整変更結果をユーザ端末１０に通知すると共に，宿泊施設サーバ５０および交通機関サーバ３０に通知して予約の変更等を行う機能。宿泊施設サーバ５０には旅行者の情報（料理献立等に対する注意事項等を含む）も送信する。
更に、旅行センタサーバ２０は、レベル別観光地（観光スポット）情報ＤＢを有している。レベル別観光地（観光スポット）情報ＤＢは、観光地（観光スポット）を難易度（体力消耗度，階段の難易度，坂道の難易度，周遊に要する歩数（距離）など）で分類した情報を含んでいる。旅行センタサーバ２０は、観光地（観光スポット）の難易度情報を参照してユーザの体調に応じた観光地（観光スポット）を選択する。
【００４３】
交通機関サーバ３０は、列車やバス等の交通機関を運営する事業体が保有するプログラム制御で動作するサーバ等の情報処理装置であり、交通機関の情報を格納する交通機関ＤＢを備え、以下の機能を有する。
（１）交通機関の時刻表，運賃，運行状況ならびに道路の渋滞情報などの交通機関情報を旅行センタサーバ２０等の外部に対して発信（ホームページ等で公開）する機能。
（２）旅行センタサーバ２０から交通情報（予約情報等）を受信し、交通機関ＤＢを参照して予約処理等を行い、回答を作成して旅行センタサーバ２０に送信する機能、など。
【００４４】
医療機関サーバ４０は、ユーザが旅行する旅行先の病院などの医療機関が保有するプログラム制御で動作するサーバ等の情報処理装置である。なお、医療機関サーバ４０は、ユーザかかりつけの病院などの医療機関が保有するものであってもよい。医療機関サーバ４０は、医療情報を格納する医療機関ＤＢを備え、以下の機能等を有する。
（１）旅行センタサーバ２０からユーザの健康診断の情報およびその他の医療情報を受信して保有する機能。
（２）旅行センタサーバ２０から旅行中のユーザの体調情報を受信し、医療機関ＤＢを参照してユーザに対するアドバイス情報を作成し、作成したアドバイス情報を旅行センタサーバ２０に送信する機能。アドバイス情報には、旅行の継続可否，旅行継続の場合の旅行中の過ごし方の注意事項，食事の献立に対する注意事項ならびに体調情報の次回送信時期の指示などの情報を含んでいる。例えば、旅行中の過ごし方と注意事項には、「体力の消耗を抑え疲労を蓄積させないために、歩くのは１日５０００歩以内に留めるのが望ましい。」のように記載する。
【００４５】
宿泊施設サーバ５０は、旅館やホテル等の宿泊施設が保有するプログラム制御で動作するサーバ等の情報処理装置であり、部屋，料金，予約および献立等の宿泊施設の情報を格納する宿泊施設ＤＢを備え、以下の機能を有する。
（１）宿泊料金や空室状況等の宿泊施設情報を旅行センタサーバ２０等の外部に発信（ホームページ等で公開）する機能。
（２）旅行センタサーバ２０から宿泊情報（予約情報等）を受信し、宿泊施設ＤＢを参照して予約処理等を行い、回答を作成して旅行センタサーバ２０に送信する機能。
（３）旅行センタサーバ２０から受信した旅行者の情報に基づき、宿泊施設ＤＢを参照して旅行者に提供する料理の献立を作成する機能、など。
【００４６】
次に、本発明を実施するための最良の形態の動作について、図１〜図３を参照して詳細に説明する。
図３は本発明の動作のフローチャートを示す図である。
【００４７】
まず、旅行の計画を立てようとしているユーザは、ユーザ端末１０を介して、旅行センタサーバ２０がネッワーク１００上に開設している旅行センタホームページにアクセスする（ステップＳ１）。
【００４８】
ユーザ端末１０には、図２に示す内容が画面表示される（ステップＳ２）。
【００４９】
次に、ユーザ端末１０上で図２の各項目等を入力し、ネットワーク１００を介して旅行センタサーバ２０に送付する（ステップＳ３）。
【００５０】
旅行センタサーバ２０は受信した情報より、依頼者の健康状態および趣味・嗜好また旅行予算を抽出し、依頼者に最適な旅行計画をいくつかピックアップし、ネットワーク１００を介してユーザ端末１０へ送付する（ステップＳ４）。
【００５１】
ユーザ端末１０は、受信したいくつかの旅行プランを確認し、希望のプランを指定し旅行センタサーバ２０へ送信する（ステップＳ５）。
【００５２】
旅行センタサーバ２０は、依頼者が希望した旅行プランに基づき、旅行先の医療機関サーバ４０および宿泊先の宿泊施設サーバ５０へ旅行プランや旅行者の健康状態等の情報を送信し、予め旅行プランを周知させる（ステップＳ６）。
【００５３】
また、旅行中に体調の変化および交通状況の変化があれば（ステップＳ７の”Ｙ”）、ユーザ端末１０より旅行センタサーバ２０へ送信し、その情報により旅行センタサーバ２０は交通機関サーバ３０と医療機関サーバ４０から取得した情報を基に旅行プランを調整変更し、ユーザ端末１０および宿泊施設サーバ５０へ送信する（ステップＳ８）。
【００５４】
このようにして、旅行中に体調の変化があった場合あるいは旅行中に交通状況の変化があった場合に、体調の変化あるいは交通状況の変化に応じた旅行プランの調整を行うので、旅行はしたいが体調に不安がある人、または、現在市場に出でいる旅行パックが自分の趣味・嗜好に合わず個人で計画にするは手間がかかるという人には、
１）自分の健康診断の内容に合わせた旅行プランができるため、移動方法および食事関係の心配をする必要がなく安心して楽しく旅行ができる、
２）旅行中の不意な体調不良や交通状況の変化に対しても、わずらわしい手間を省くことができる、
３）自分の趣味・嗜好により計画を立てるので、自分の見たいところ自分の食べたい物を堪能でき失敗がない、
という点で効果がある。
【００５５】
本発明による上述した実施の形態において、旅行プラン調整システムの処理動作を実行するためのプログラム等を、データとしてコンピュータの磁気ディスクや光ディスク等の記録媒体（図示せず）に記録するようにし、記録されたデータを読み出して旅行プラン調整システムを動作させるために用いる。このように、本発明による旅行プラン調整システムを動作させるデータを記録媒体に記録させ、この記録媒体をインストールすることにより旅行プラン調整システムの機能が実現できるようになる。
【図面の簡単な説明】
【００５６】
【図１】本発明の全体の構成図
【図２】旅行プラン申込情報の登録例を示す図
【図３】本発明の動作のフローチャートを示す図
【符号の説明】
【００５７】
１０    ユーザ端末
２０    旅行センタサーバ
３０    交通機関サーバ
４０    医療機関サーバ
５０    宿泊施設サーバ
１００    ネットワーク
【図１】
2005157864.tif 000003
【図２】
2005157864.tif 000004
【図３】
2005157864.tif 000005